(57)【要約】【課題】利用するアプリケーションソフトの本来の仕様では表示画面の拡大縮小やスクロールの操作ができない場合においても、これらの操作を可能とするプレゼンテーション用表示装置を提供する。【解決手段】少なくとも表示画面の拡大縮小や上下左右のスクロールを命令する操作ボタンを有し、各操作ボタンが押されたことにより命令信号を出力するプレゼンテーション用入力装置と、この入力装置から出力された命令信号を入力し、前記表示画面の拡大縮小および上下左右のスクロールの命令を判別する命令判別手段と、この命令判別手段で判別された前記命令が入力され、この命令の画面表示を行わせるための外部制御信号を作成し、使用しているアプリケーションプログラムが有するアプリケーションプログラム・インタフェースにこの外部制御信号を供給する外部制御手段とを備える。【選択図】図２
2006058608.tif 000002
【特許請求の範囲】
【請求項１】
外部制御信号を入力するためのインタフェースを備えたアプリケーションプログラムを内蔵するパーソナルコンピュータによるプレゼンテーション用表示装置であって、
少なくとも表示画面の拡大縮小および上下左右のスクロールを命令する操作ボタンを有し、前記操作ボタンが押されたことにより命令信号を出力するプレゼンテーション用入力装置と、
前記入力装置から出力された命令信号を入力し、前記命令信号から前記表示画面の拡大縮小および上下左右のスクロールの命令を判別する命令判別手段と、
前記命令判別手段で判別された前記命令が入力され、前記インタフェースの仕様に基づいて前記命令の画面表示を行わせるための外部制御信号を作成し、前記インタフェースに出力する外部制御手段と、
から構成されていることを特徴とするプレゼンテーション用表示装置。
【請求項２】
外部制御信号を入力するためのインタフェースを備えたアプリケーションプログラムを内蔵するパーソナルコンピュータによるプレゼンテーション用表示方法であって、
少なくとも表示画面の拡大縮小および上下左右のスクロールを命令する操作ボタンを有し、前記操作ボタンが押されたことにより命令信号を出力する命令信号出力ステップと、
前記命令信号出力ステップで出力された命令信号を入力し、前記命令信号から前記表示画面の拡大縮小および上下左右のスクロールの命令を判別する命令判別ステップと、
前記命令判別ステップで判別された前記命令が入力され、前記インタフェースの仕様に基づいて前記命令の画面表示を行わせるための外部制御信号を作成し、前記インタフェースに出力する外部制御信号出力ステップと、
を有することを特徴とするプレゼンテーション用表示方法。
【発明の詳細な説明】
【技術分野】
【０００１】
本発明は、パーソナルコンピュータを用いたプレゼンテーション用表示装置及び表示方法に係り、特に画面の拡大縮小やスクロール表示を行う制御システムおよびプログラムに関する。
【背景技術】
【０００２】
従来から企業内で使われるプレゼンテーション装置としてはオーバーヘッドプロジェクターがある。近年では、このオーバーヘッドプロジェクターの簡便な良さを残し、原稿情報を電気信号に変換してプロジェクターでスクリーンに投影する装置が多く用いられるようになってきた（例えば、特許文献１参照）。この特許文献１に示した書架カメラプロジェクターでは、原稿情報の取り込みにビデオカメラを使用しているため、レンズのズーミング操作や画像信号の処理によって表示画面の拡大縮小を簡単に行うことができ、さらにオーバーヘッドプロジェクターのように原稿をレンズの前で上下左右にずらすことによって任意の部分をすばやく選択して表示できるなどプレゼンテーションに便利な操作が可能となっている。
【０００３】
一方、パーソナルコンピュータとプロジェクターを使用したプレゼンテーション装置も近年企業内で頻繁に使われるようになってきた（例えば、特許文献２参照）。このプレゼンテーションに用いるアプリケーションソフトとしてはマイクロソフト社の「パワーポイント」などが主に使われている。
パーソナルコンピュータによるプレゼンテーションは、表示原稿を一旦用紙に印刷することなく電子ファイルのまま直接表示することができるという前記オーバーヘッドプロジェクターや書架カメラプロジェクターにはない特徴がある。その反面、オーバーヘッドプロジェクターや書架カメラプロジェクターのように原稿を上下左右に移動して任意の個所を表示することや、自由に拡大縮小表示する操作ができない場合が多い。
【特許文献１】特開２００４−４０１７７号公報
【特許文献２】特開２００２−３５１６０９号公報
【発明の開示】
【発明が解決しようとする課題】
【０００４】
このように、パーソナルコンピュータとプロジェクターを使用したプレゼンテーション装置においては、利用するアプリケーションソフトによって操作可能な機能が決まっており、プレゼンテーション実行時には画面のスクロールや拡大縮小表示が任意にできない場合がある。このため自由に表示位置を動かせず、また細かな文字を大きくできないなどプレゼンテーションの表現が制限される問題がある。
【０００５】
本発明は、このような従来の問題点に鑑みなされたものであり、その目的は、パーソナルコンピュータとプロジェクターを使用したプレゼンテーション装置において、利用するアプリケーションソフトの本来の仕様では使用者が画面のスクロールや拡大縮小表示ができない場合においても、これらの表示を可能とする機能を持ったプレゼンテーション用表示装置を提供するものである。
【課題を解決するための手段】
【０００６】
本発明は、上記課題を解決する手段として以下の（１）、（２）に記載の構成からなる。すなわち、
（１）外部制御信号を入力するためのインタフェースを備えたアプリケーションプログラムを内蔵するパーソナルコンピュータによるプレゼンテーション用表示装置であって、
少なくとも表示画面の拡大縮小および上下左右のスクロールを命令する操作ボタンを有し、前記操作ボタンが押されたことにより命令信号を出力するプレゼンテーション用入力装置と、
前記入力装置から出力された命令信号を入力し、前記命令信号から前記表示画面の拡大縮小および上下左右のスクロールの命令を判別する命令判別手段と、
前記命令判別手段で判別された前記命令が入力され、前記インタフェースの仕様に基づいて前記命令の画面表示を行わせるための外部制御信号を作成し、前記インタフェースに出力する外部制御手段と、
から構成されていることを特徴とするプレゼンテーション用表示装置。
（２）外部制御信号を入力するためのインタフェースを備えたアプリケーションプログラムを内蔵するパーソナルコンピュータによるプレゼンテーション用表示方法であって、
少なくとも表示画面の拡大縮小および上下左右のスクロールを命令する操作ボタンを有し、前記操作ボタンが押されたことにより命令信号を出力する命令信号出力ステップと、
前記命令信号出力ステップで出力された命令信号を入力し、前記命令信号から前記表示画面の拡大縮小および上下左右のスクロールの命令を判別する命令判別ステップと、
前記命令判別ステップで判別された前記命令が入力され、前記インタフェースの仕様に基づいて前記命令の画面表示を行わせるための外部制御信号を作成し、前記インタフェースに出力する外部制御信号出力ステップと、
を有することを特徴とするプレゼンテーション用表示方法。
【発明の効果】
【０００７】
本発明によるプレゼンテーション用表示装置を用いることにより、パーソナルコンピュータで使用するプレゼンテーション用アプリケーションプログラムの本来の仕様では使用者が画面の拡大縮小やスクロール表示ができない場合においても、プレゼンテーション用データを作り変えることなく同じデータを用いて画面の拡大縮小やスクロール表示が可能となるので、表現豊かなプレゼンテーションができる効果を有する。
【発明を実施するための最良の形態】
【０００８】
以下、本発明になるプレゼンテーション用表示装置及び表示方法の実施の形態につきその最も好ましい実施例について、添付図面を参照して説明する。
【０００９】
図１は、本発明に係るプレゼンテーション用表示装置の全体構成を示すブロック図、図２は、本発明による表示画面の作成を説明するブロック図、図３は、本発明に係る命令信号判別部のフローチャート、図４は、本発明に係る表示画面の作成を説明するフローチャートである。
【００１０】
まず、図１を用いて本発明の一実施例であるプレゼンテーション用表示装置の全体構成を説明する。図１において、プレゼンテーション用入力装置１１は、パーソナルコンピュータ１３を操作するいわゆる無線マウスであり、本実施例で用いるものは一般的なマウスの操作ボタンの他にプレゼンテーション用として表示画面の拡大縮小および上下左右のスクロールを命令する各ボタンを有しているものである。また無線伝送はよく知られているブルートゥース（Bluetooth）やジグビー（Zigbee）などの技術を用いて行われる。
【００１１】
入力装置１１の操作ボタンを押すことで無線により送出された命令信号はパーソナルコンピュータ１３に接続された無線受信装置１２にて受信される。無線受信装置１２で受信された命令信号は、内部のＵＳＢインターフェースを介してパーソナルコンピュータ１３のＵＳＢコントローラ１３１に供給され内部のバス１３３に送られる。
パーソナルコンピュータ１３はＣＰＵ（主演算ユニット）１３２、ＨＤＤ（ハードディスクドライブ）を使った外部記憶装置１３６、ランダムアクセスメモリ１３４、ディスプレイコントローラ１３５などの主要部から構成されている。
上記外部記憶装置１３６には、プレゼンテーションを行うときに用いるアプリケーションプログラムとしてマイクロソフト社の「パワーポイント」（商品名）がインストールされている。なおこのアプリケーションプログラムは、資料作成や編集時には表示画面の拡大縮小あるいはスクロール等ができるが、プレゼンテーション実行時には表示画面の大きさや位置は固定され使用者が変更することはできないものである。
またディスプレイコントローラ１３５には、ディスプレイコネクタを介してプレゼンテーション用のプロジェクター１４が接続され表示画面がスクリーン１５に拡大投影される。
【００１２】
次に図２において表示画面の作成を説明する。
無線入力装置１１から発信された命令信号は無線受信装置１２によって受信しパーソナルコンピュータ内部に取り込まれる。この命令信号はパーソナルコンピュータのオペレーティングシステム２１を通し、通常はキー入力信号としてアプリケーションプログラム（パワーポイント）に渡されるが、本実施例においては、命令判別部２２がオペレーティングシステム２１からのキー入力情報を一旦受け止め、アプリケーションプログラムに渡されるべき情報か、表示画面の拡大縮小やスクロールなどの本発明の表示動作（以下、本発明動作という）を実行させるための命令信号か判別を行う。この部分の動作を図３のフローチャートで説明する。
【００１３】
命令判別部２２に命令信号が入力されると判別が開始される（ステップＳ３１）。まず入力された命令信号の種類は本発明動作の命令か否かテーブルを参照して判別を行う（ステップＳ３２）。この判別結果がＮＯの場合には命令信号をアプリケーションプログラムへ供給し（ステップＳ３４）、ＹＥＳの場合は外部制御部へ供給する（ステップＳ３３）。そして判別を終了し（ステップＳ３５）、次の命令信号が入力されるまで待機する。
【００１４】
命令判別部２２はこのようにして判別した結果、命令信号が本発明動作の命令でない場合にはアプリケーションプログラム２４に命令信号を供給して通常の表示画面２５のままで画面表示され命令信号の内容に応じた動作が行われる。
もし命令信号が本発明動作の命令と判別された場合には、その命令信号はアプリケーションプログラム２４に渡さず外部制御部２３に供給される。
命令信号が供給された外部制御部２３は、アプリケーションプログラムが有しているアプリケーションプログラム・インタフェース（ＡＰＩ）の仕様とマクロコマンドの実行手順に従って、受け取った命令信号で指定された表示画面の作成を指示する制御信号をアプリケーションプログラム・インタフェースに供給する。
【００１５】
その際の表示画面作成の手順として、外部制御部２３は、まずアプリケーションプログラム２４の通常の表示画面２５の上にオーバーレイ表示画面２７の生成を指示し、ここに同じ内容の画像を表示するように定義する。ついで命令信号の内容に応じてその画像の表示拡大率やスクロール方向などを指定しオーバーレイ表示画面２７の再描画を行う。このとき、表示画面の縮小やスクロールによって、このオーバーレイ表示画面２７が表示している画像の描画位置が移動して下面の通常の表示画面２５が現れると画面が混乱して見にくくなるので、オーバーレイ表示画面２７と通常の表示画面２５の間に、例えば黒一色の画面２６を挿入することによりこのような混乱は防止できるようになる。この黒一色の画面２６の生成も外部制御部２３からアプリケーションプログラム・インタフェースに制御信号として供給することで行われる。
【００１６】
次に図４を用いて表示画面の作成から削除までの手順を詳細に説明する。
まず外部制御部２３に命令信号が供給されて動作が開始される（ステップＳ４１）。外部制御部２３は供給された命令信号が本発明動作の終了を指示するものであるか判別を行う（ステップＳ４２）。ＹＥＳの場合は、本発明動作のために生成されたオーバーレイ表示画面と黒一色の画面を抹消する制御命令を出力し（ステップＳ４３）処理を終了する。これにより画面は通常の表示画面に戻る。
【００１７】
ＮＯの場合には、次いで命令信号がその画面で始めて供給されたものであるか判別する（ステップＳ４４）。この判別がＹＥＳの場合にはオーバーレイ表示画面の生成を指示し、ここに通常の表示画面と同じ表示内容の画像を表示するように定義する（ステップＳ４５）、また上記黒一色の画面２６の生成の指示もここで行う。一方ＮＯの場合はすでにオーバーレイ表示画面は存在するので、上記ステップＳ４５をジャンプして次の動作に移る。
次いで外部制御部２３は命令信号の内容に応じてその画像の表示拡大率やスクロール方向などを指定しオーバーレイ表示画面２７の再描画を行い（ステップＳ４６）動作を終了して次の命令信号の入力を待機する。
【００１８】
以上詳述したような構成と動作手順のプレゼンテーション用表示装置または表示方法により、プレゼンテーションに使用するアプリケーションプログラムの機能として本来表示画面の拡大縮小やスクロールができないものにおいても、これらの操作ができるようになる。なお上記命令判別部２２と外部制御部２３はソフトウエアで構成されており、プログラムは外部記憶装置１３６にインストールされているものである。
【００１９】
また本実施例ではアプリケーションプログラムとしてマイクロソフト社の「パワーポイント」を用いて説明したが、本発明はこれに限ることなく、次の特性を有するプレゼンテーション用ソフトウエアであれば可能である。すなわち資料作成や編集時には表示画面の拡大縮小あるいはスクロール等ができるが、プレゼンテーション実行時には表示画面の大きさや位置は固定され使用者が変更することはできないもので、外部制御信号を入力するためのインタフェース（アプリケーションプログラム・インタフェース）を備えたアプリケーションプログラムである。
【図面の簡単な説明】
【００２０】
【図１】本発明に係るプレゼンテーション用表示装置の全体構成を示すブロック図である。
【図２】本発明による表示画面の作成を説明するブロック図である。
【図３】本発明に係る命令信号判別部のフローチャートである。
【図４】本発明に係る表示画面の作成を説明するフローチャートである。
【符号の説明】
【００２１】
１１…入力装置
１２…無線受信装置
１３…パーソナルコンピュータ
１４…プロジェクター
１５…スクリーン
２１…オペレーティングシステム
２２…命令判別部
２３…外部制御部
２４…アプリケーションプログラム
２５…通常の表示画面
２６…黒一色の画面
２７…オーバーレイ表示画面
１３１…ＵＳＢコントローラ
１３２…ＣＰＵ（主演算ユニット）
１３３…バス
１３４…ランダムアクセスメモリ
１３５…ディスプレイコントローラ
１３６…外部記憶装置
【図１】
2006058608.tif 000003
【図２】
2006058608.tif 000004
【図３】
2006058608.tif 000005
【図４】
2006058608.tif 000006